(57)【要約】【課題】複数の容器を取外し自在な形で組み合わせることができる内容物放出用容器セットおよび内容物出力用容器を提供する。【解決手段】ロールオン式容器１０およびポンプ式容器２０の各容器に、内容物の収納部１１，２１、内容物を外部空間に出力するヘッド１４，２４、他容器のヘッド用のキャップ１２，２２を備えた。収納モードでは、ヘッド１４，２４がそれぞれ他容器のキャップ２２，１２に係合して各容器１０，２０は一体化し、携帯に便利な容器セットＡとなる。このとき各キャップ２２，１２は二箇所で相互にロックされた状態となるので、携帯中などに外れにくい。使用モードでは、それぞれヘッド１４，２４と他容器のキャップ２２，１２との係合を解除して容器１０，２０を分離する。一方の容器を収納モードにしたまま他方の容器を回動操作によって使用モードにする容器セットや、四種類の容器からなるセットも開示している。【選択図】    図１
2004276961.tif 000002
【特許請求の範囲】
【請求項１】
内容物を保持する複数の容器を取外し自在な形で組み合わせた内容物出力用容器セットであって、
前記容器は、それぞれ、自内容物の保持部および出力部と、他容器の出力部に対するキャップ部とを備え、
自容器の前記出力部を前記他容器の前記キャップ部に入れた状態で前記複数の容器が一体化される、
ことを特徴とする内容物出力用容器セット。
【請求項２】
内容物を保持した他容器と取外し自在な形で組み合わせることが可能な内容物出力用容器であって、
自内容物の保持部および出力部と、前記他容器の出力部に対するキャップ部とを備えた、
ことを特徴とする内容物出力用容器。
【請求項３】
前記キャップ部の周面に、前記他容器と組み合わせた状態での自容器および当該他容器の相対的な回動操作によって、当該他容器の前記出力部を当該キャップ部から外すための、開口部分を形成した、
ことを特徴とする請求項２記載の内容物出力用容器。
【発明の詳細な説明】
【０００１】
【発明の属する技術分野】
本発明は、他容器と取外し自在な形で組み合わせることが可能な、例えば携帯や保管に便利な内容物出力用容器セットおよび内容物出力用容器に関する。
【０００２】
【従来の技術】
従来、例えば化粧品，日用品などに用いられている内容物出力用容器は個々に独立した状態であり、利用者はこれらの単独内容物出力用容器を携帯したり保管している。
【０００３】
【発明が解決しようとする課題】
したがって、例えば身支度や化粧などに使用する複数の内容物出力用容器がその携帯中や保管場所などで他のものと混在し、必要とする内容物放出用容器を見つけるのに時間がかかるという問題点があった。
【０００４】
また、内容物出力用容器を携帯中に、そのキャップがなんらかの外力によって外れることがあり、放出口が露出して不衛生であるとともに、操作部が不意に駆動されて内容物が漏出することがある、という問題点があった。
【０００５】
そこで本発明は、複数の各容器を、その出力部が他容器の一部によってキャップされ、かつ互いに組み合わせることができる内容物放出用容器セットおよび内容物出力用容器を提供することを目的とする。
【０００６】
【課題を解決するための手段】
本発明はこの課題を次のようにして解決する。
（１）内容物を保持する複数の容器（例えば後述のロールオン式容器１０，ポンプ式容器２０，４０，８０、エアゾール式容器３０，７０、押出式容器５０、チューブ式容器６０）を取外し自在な形で組み合わせた内容物出力用容器セット（例えば後述の容器セットＡ，Ｂ，Ｃ）であって、前記容器は、それぞれ、自内容物の保持部（例えば後述の内容物収納部１１，２１，３１，４１，５１，７１，８１）および出力部（例えば後述のヘッド１４，２４，３４，４４）と、他容器の出力部（例えば後述のヘッド２４，１４，４４，３４）に対するキャップ部（例えば後述のキャップ１２，２２，３２，４２，５２、６２，８２）とを備え、自容器の前記出力部を前記他容器の前記キャップ部に入れた状態で前記複数の容器を一体化する。
（２）内容物を保持した他容器（例えば後述のポンプ式容器２０，４０）と取外し自在な形で組み合わせることが可能な内容物出力用容器（例えば後述のロールオン式容器１０，エアゾール式容器３０）であって、自内容物の保持部（例えば後述の内容物収納部１１，３１）および出力部（例えば後述のヘッド１４，３４）と、前記他容器の出力部（例えば後述のヘッド２４，４４）に対するキャップ部（例えば後述のキャップ１２，３２）とを備える。
（３）上記（２）において、前記キャップ部の周面に、前記他容器と組み合わせた状態での自容器（例えば後述のエアゾール容器３０）および当該他容器の相対的な回動操作によって、当該他容器の前記出力部を当該キャップ部から外すための、開口部分（例えば後述の開口部３２ｂ）を形成する。
【０００７】
本発明によれば、取外し自在な形で組み合わせられる複数の内容物出力用容器を、ある容器の出力部が他容器のキャップ部に入った状態で互いに一体化するようにし、これにより当該内容物出力用容器の携帯や保管のときにそれぞれがばらばらになるのを簡単・確実に防止している。
【０００８】
また、組み合わせ状態の内容物出力用容器同士の回動操作によって容器出力部がキャップ部から外れるようにし、これにより内容物出力用容器の操作性の自由度を高め、使い勝手のよいものとしている。
【０００９】
【発明の実施の形態】
図１乃至図３を用いて、本発明の実施の形態を説明する。
図１はロールオン式容器とポンプ式容器のセットの説明図であり、（ａ）は収納モード、（ｂ）は使用モードをそれぞれ示している。
【００１０】
図１において、
Ａはロールオン式容器とポンプ式容器のセット，
１０はロールオン式容器，１０ａは当該ロールオン式容器の底面部，１１は内容物収納部，１１ａは当該内容物収納部の側面部分，１２はキャップ，１２ａは当該キャップの開口部，１２ｂは当該キャップの内周面に形成された間欠凸状部，１３は後述の筒状部１４ｂと嵌合する内側筒状部，１３ａは後述のキャップ２２の間欠凸状部２２ａと係合する環状凸状部，１４は内容物放出用のヘッド，１４ａは内容物塗布用のボール，１４ｂは当該ボールを保持する筒状部，１４ｃは当該筒状部とボールとの隙間，
２０はポンプ式容器，２０ａは当該ポンプ式容器の底面部，２１は内容物収納部，２１ａは当該内容物収納部の側面部分，２２はキャップ，２２ａは当該キャップの開口部，２２ｂは当該キャップの内周面に形成された間欠凸状部，２３は後述の筒状部２４ｃと嵌合する内側筒状部，２３ａはキャップ１２の間欠凸状部１２ａと係合する環状凸状部，２４は内容物放出用のヘッド，２４ａは内容物放出用の押釦，２４ｂは放出口，２４ｃは当該押釦を保持する筒状部，
をそれぞれ示している。
【００１１】
容器セットＡの各容器１０，２０は、自方のヘッド１４，２４とは反対側（底面部側）に、他方のヘッド２４，１４をカバーするキャップ１２，２２を一体成型している。
【００１２】
すなわち、
・ロールオン式容器１０には、ポンプ式容器２０用のキャップ１２が一体成型され、
・ポンプ式容器２０には、ロールオン式容器１０用のキャップ２２が一体成型されている。
【００１３】
なお、各容器１０，２０の内容物収納部１１，２１は略正八角柱であり、キャップ１２，２２部分は当該内容物収納部から横方向に張り出した形状となっている。
【００１４】
図１（ａ）に示すように組合わせ状態の収納モードでは、
・ロールオン式容器１０の環状凸状部１３ａはポンプ式容器２０のキャップ２２の間欠凸状部２２ｂを乗り越えて、当該間欠凸状部が内側筒状部１３に当接したかたちでヘッド１４はキャップ２２に収納され、
・ポンプ式容器２０の環状凸状部２３ａも、ロールオン式容器１０のキャップ１２の間欠凸状部１２ｂを乗り越えて、当該間欠凸状部が内側筒状部２３に当接したかたちでヘッド２４はキャップ１２に収納され、
二種類の容器１０，２０は一体化している。
【００１５】
このとき容器セットＡは、各容器１０，２０を並列したかたちのコンパクトな八角柱形である。
【００１６】
したがって携帯性が良く、また例えば容器セットＡを保管する際に側面部分１１ａ，２２ａを下側にして置いたときに転がりにくく、底面部１０ａ，２０ａを下側にして机上などに立てて保管することもできる。
【００１７】
また、前述のように各ヘッド１４，２４とそれぞれ対応するキャップ２２，１２は係合しているので、容器セットＡはいわば点対称の二箇所で相互にロックされた状態となる。
【００１８】
したがって、例えば容器セットＡを携帯した場合に、外部から受ける衝撃などによってキャップ１２，２２が外れにくい。
【００１９】
図１（ｂ）に示すように、使用モードでは、例えばポンプ式容器２０をロールオン式容器から引き上げて各環状凸状部１３ａ，２３ａがそれぞれ相手側キャップ２２，１２の間欠凸状部２２ｂ，１２ｂに乗り上げるようにして両者の係合を解除し、各容器を分離する。
【００２０】
ロールオン式容器１０を使用するには、ボール１４ａを下側にして塗布したい面に当該ボールを押し当てるように移動させればよい。
【００２１】
ボール１４ａが押圧されることにより弁（図示省略）が開き、内容物収納部１１の内容物が当該ボールとボール保持部１４ｂとの隙間１４ｃから外部空間に流出する。
【００２２】
また、ポンプ式容器２０を使用するには、押釦２４ａを押圧して、放出したい場所に向けて当該押釦を押圧すればよい。
【００２３】
ポンプ機構（図示省略）により、内容物収納部２１の内容物は放出口２４ｂから外部空間に放出される。
【００２４】
そして、ロールオン式容器１０やポンプ式容器２０を使用後、再び収納モードにするには、ヘッド１４，２４をそれぞれキャップ２２，１２の開口部２２ａ，１２ａに入れて環状凸状部１３ａ，２３ａが間欠凸状部２２ｂ，１２ｂを乗り越えるまで押し込めばよい。
【００２５】
なお、キャップ１２，２２の内周面に形成した間欠凸状部１２ｂ，２２ｂに代えて、キャップ１２，２２の内径を環状凸状部１３ａ，２３ａの外径よりも少しだけ小さく形成して、環状凸状部１３ａ，２３ａがキャップ１２，２２の内周面にきつく係止されるようにしてもよい。また、環状凸状部１３ａ，２３ａまたは１２ｂ，２２ｂ間欠凸状部のどちらかを凹状部にしてもよい。
【００２６】
次に、図２および図３を用いて容器セットの他の例を説明する。
図２は、一方の容器を収納モードにしたまま他方の容器を使用モードに設定可能な容器セットの説明図であり、図３は四種類の容器からなるセットの説明図である。
【００２７】
これらの図において、
Ｂは回動タイプの容器セット，
３０はエアゾール式容器，３１は内容物収納部，３２はキャップ，３２ａは当該キャップの上面開口部，３２ｂは当該キャップの周面開口部，３２ｃは上面開口部３２ａをΩ形状に形成する突部，３３は後述の筒状部３４ｃと嵌合する内側筒状部，３３ａは後述のポンプ容器４０の突部４２ｃに係合する環状凸状部，３４はヘッド，３４ａは押釦，３４ｂは放出口，３４ｃは当該押釦を保持する筒状部，
４０はポンプ式容器，４１は内容物収納部，４２はキャップ，４２ａは当該キャップの上面開口部，４２ｂは当該キャップの周面開口部，４２ｃは上面開口部４２ａをΩ形状に形成する突部，４３は後述の筒状部４４ｃと嵌合する内側筒状部，４３ａは後述のエアゾール容器３０の突部３２ｃに係合する環状凸状部，４３ａは当該環状凸状部によって生じる環状凹部，４４はヘッド，４４ａは押釦，４４ｂは放出口，４４ｃは当該押釦を保持する筒状部，Ｃは四種類の容器からなる容器セット，
５０はヘッドにブラシを備えた押出式容器，５１は内容物の収納部，５２はキャップ，
６０はチューブ式容器，６２はキャップ，
７０はエアゾール式容器，７１は内容物の収納部，
８０はポンプ式容器，８１は内容物の収納部、８２はキャップ、
をそれぞれ示している。
【００２８】
図２の容器セットＢと図１の容器セットＡとの主な相違点は、
・キャップ３２，４２に、それぞれヘッド４４，３４を使用モードにできる周面開口部３２ｂ，４２ｂを形成し、
・上面開口部３２ａ，４２ａがΩ形状になるような突部３２ｃ，４２ｃを形成した、
ことである。
【００２９】
これらにより、容器セットＢは容器を回動させることによって片方のヘッドのみを露出させることもでき、また、図１の容器セットＡと同様に各容器を上下方向に分離して双方の容器ともに使用モードにすることもできる。
【００３０】
収納モード（図示省略）では、
・エアゾール式容器３０の環状凸状部３３ａとキャップ４２の突部４２ｃは係合し、当該突部が内側筒状部３３に当接するかたちでヘッド３４がキャップ４２に収納され、
・ポンプ式容器４０の環状凸状部４３ａとキャップ３２の突部３２ｃは係合し、当該突部が内側筒状部４３に当接するかたちでヘッド４４がキャップ３２に収納されて、
エアゾール式容器３０およびポンプ式容器４０は一体化している。
【００３１】
図２に示すように、例えばポンプ式容器４０のみを使用モードにするには、当該ポンプ式容器の内容物収納部４１をエアゾール式容器３０に対して反時計方向に回動する。
【００３２】
このとき、
・ポンプ式容器４０の突部４２ｃはエアゾール式容器３０の内側筒状部３３に摺動し、すなわちエアゾール式容器３０のヘッド３４はキャップ４２に収納されたままであり、
・ポンプ式容器４０の内側筒状部４３はエアゾール式容器３０の突部３２ｃを押し広げるかたちで回動し、
・ヘッド４４が露出する。
【００３３】
なお、使用したポンプ式容器４０を再び収納モードにするには、内容物収納部４１を時計方向に回動して、ヘッド４４をキャップ３２の周面開口部３２ｂに押し込めばよい。このとき、ヘッド４４はその内側筒状部４３がエアゾール式容器３０の突部３２ｃを一旦押し広げるかたちとなってキャップ３２に収納される。
【００３４】
同様に、エアゾール式容器３０のみを使用モードにすることができる。
【００３５】
また、ポンプ式容器４０およびエアゾール式容器３０双方を使用モードにするには、
・例えば、ポンプ式容器４０を前述の回動操作により使用モードにした後、当該ポンプ式容器を上方向に引き上げて突部４２ｃとエアゾール式容器３０の環状凸状部３３ａとの係合を解除する、
・収納モードの容器セットＢのポンプ式容器４０とエアゾール式容器３０を互いに引っ張るようにして各環状凸状部３３ａ，４３ａと、当該環状凸状部のそれぞれが対応するキャップ４２，３２の突部４２ｃ，３２ｃとの係合を解除する、
などの方法により各容器を分離すればよい。
【００３６】
なお、エアゾール式容器３０の開口部３２ｂおよびポンプ式容器４０の開口部４２ｂは同一周面側に形成してもよい。
【００３７】
図３の容器セットＣは、押出式容器５０，チューブ式容器６０，エアゾール式容器７０，ポンプ式容器８０からなり、各容器の構成は図１の容器と同様である。すなわち、各容器は、内容物の収納部，ヘッド，他容器用のキャップ，ヘッドとキャップの係合部などを備えている。
【００３８】
収納モードでは、
・押出式容器５０のヘッドはチューブ式容器６０のキャップ６２に係合し、
・チューブ式容器６０のヘッドはエアゾール式容器７０のキャップに係合し、
・エアゾール式容器７０のヘッドはポンプ式容器８０のキャップ８２に係合し、
・ポンプ式容器８０のヘッドは押出式容器５０のキャップ５２に係合し、
容器セットＣはコンパクトな略直方体である。
【００３９】
各ヘッドとそれに対応するキャップはそれぞれ係合しているので、各キャップは他のキャップの係合作用も受けて外れにくい。
【００４０】
使用モードでは、使用したい容器を他の容器から分離するようにキャップとの係合を解除すればよい。
【００４１】
例えば、押出式容器５０を使用モードにする場合、当該押出式容器を下方向に引っ張って、
・そのヘッドとチューブ式容器６０のキャップ６２との係合、および
・ポンプ式容器８０のヘッドと押出式容器５０のキャップ５２との係合、
を解除すると、押出式容器５０を分離することができる。
【００４２】
また、例えば、チューブ式容器６０およびポンプ式容器８０と、押出式容器５０およびエアゾール式容器７０とを互いに引っ張って、それぞれ対応するキャップとヘッドの係合状態を解除して各容器を分離した上で、使用したい容器を選択してもよい。
【００４３】
なお、キャップの周面部分に開口部を形成して、容器を回動することにより使用したい容器のみを使用モードに設定するようにしてもよい。
【００４４】
図１乃至図３の各容器の材質は、ある程度の弾性を有するポリエチレン，ポリプロピレンなどの合成樹脂製である。各ヘッドとそれに対応するキャップはこの弾性力によって撓むので、両者の係合，係合解除は容易に行うことができる。
【００４５】
図１乃至図３における各容器係止用の環状凸状部、間欠凸状部、突部を設けずに、キャップ内周面とヘッド筒状部との嵌合作用により両者を互いに係止させるようにしてもよい。
【００４６】
本発明には、ロールオン式、ポンプ式、エアゾール式などの各容器、チューブ式，ノック式などの押出式、刷毛，ブラシ，チップなどを備えた容器などを用いることができる。また、これらの容器の組み合わせは任意である。
【００４７】
本発明が適用される製品としては、染毛剤，育毛剤，脱色剤，化粧品，シェービングフォーム，ヘアスタイリングフォーム，医薬品，外用薬，医薬部外品，コンタクトレンズ用品，液滴状のもの（ビタミンなど），塗料園芸用剤，殺虫剤，クリーナー，消臭剤，ウレタンフォーム，消火剤，潤滑剤，洗浄剤，清掃剤，制汗剤，忌避剤（殺虫剤），洗濯のりなどの各種用途のものがある。
【００４８】
また、各容器の内容物は、同じ時期に使うもの同士や関連性があるもの同士の組み合わせが好ましく、例えば、アイシャドーとマスカラ，マニキュアと除光液，化粧水と乳液，シャンプーとリンス，二液タイプの染毛剤や脱色剤，コンタクトレンズのクリーナーと保存液などの組み合わせがある。
【００４９】
具体的な内容物としては、液状，ペースト状，ジェル状，泡状，粉状などの各種性状のものがあり、染料，脱色剤，アルカリ剤，金属塩類粉末，無機物粉末や樹脂粉末などを用いる。例えばパラフェニレンジアミン，アンモニア，過酸化水素，タルク，カオリン，アルミニウムヒドロキシクロライド（アルミ塩），硫酸バリウム，セルロース，これらの混合物などである。また、安定剤，ＰＨ調整剤，紫外線吸収剤，油性原料，界面活性剤，保湿剤，高分子化合物，酸化防止剤，金属イオン封鎖剤なども用いる。
【００５０】
エアゾール式製品の放出用ガスには、ＬＰＧ，ジメチルエーテル，フルオロカーボン，炭酸ガス，窒素ガス，圧縮空気，酸素ガス，希ガス，これらの混合ガスなどを用いる。
【００５１】
【発明の効果】
本発明は、このように、取外し自在な形で組み合わせられる複数の内容物出力用容器を、ある容器の出力部が他容器のキャップ部に入った状態で互いに一体化するようにしているので、当該内容物出力用容器の携帯や保管のときにそれぞれがばらばらになるのを簡単・確実に防止することができる。
【００５２】
また、組み合わせ状態の内容物出力用容器同士の回動操作によって容器出力部がキャップ部から外れるようにしているので、内容物出力用容器の操作性の自由度を高め、使い勝手のよいものとすることができる。
【図面の簡単な説明】
【図１】本発明の、ロールオン式容器とポンプ式容器のセットの説明図であり、（ａ）は収納モード、（ｂ）は使用モードをそれぞれ示している。
【図２】本発明の、片方の容器のみを使用モードに設定可能な容器セットの説明図である。
【図３】本発明の、四つの容器からなるセットの説明図である。
【符号の説明】
Ａ：容器セット
１０：ロールオン式容器
１０ａ：底面部
１１：内容物収納部
１１ａ：側面部分
１２：キャップ
１２ａ：開口部
１２ｂ：間欠凸状部
１３：内側筒状部
１３ａ：環状凸状部
１４：ヘッド
１４ａ：ボール
１４ｂ：筒状部
１４ｃ：隙間
２０：ポンプ式容器
２０ａ：底面部
２１：内容物収納部
２１ａ：側面部分
２２：キャップ
２２ａ：開口部
２２ｂ：間欠凸状部
２３：内側筒状部
２３ａ：環状凸状部
２４：ヘッド
２４ａ：押釦
２４ｂ：放出口
２４ｃ：筒状部
Ｂ：容器セット
３０：エアゾール式容器
３１：内容物収納部
３２：キャップ
３２ａ：上面開口部
３２ｂ：周面開口部
３２ｃ：突部
３３：内側筒状部
３３ａ：環状凸状部
３４：ヘッド
３４ａ：押釦
３４ｂ：放出口
３４ｃ：筒状部
４０：ポンプ式容器
４１：内容物収納部
４２：キャップ
４２ａ：上面開口部
４２ｂ：周面開口部
４２ｃ：突部
４３：内側筒状部
４３ａ：環状凸状部
４４：ヘッド
４４ａ：押釦
４４ｂ：放出口
４４ｃ：筒状部
Ｂ：容器セット
５０：押出式容器
５１：内容物収納部
５２：キャップ
６０：チューブ式容器
６２：キャップ
７０：エアゾール式容器
７１：内容物収納部
８０：ポンプ式容器
８１：内容物収納部
８２：キャップ
【図１】
2004276961.tif 000003
【図２】
2004276961.tif 000004
【図３】
2004276961.tif 000005